(57)【要約】【課題】ＬＡＮ等の通信ネットワーク経由でオーディオ信号処理に関する外部機器の制御データを通信できるようにする。【解決手段】ミキサ１００とワイヤレスマイクレシーバ１０１はＬＡＮ経由で接続される。ミキサ１００において、ユーザはＬＡＮ経由の通信を確立したいレシーバ１００について該レシーバ１００に固有のネットワークアドレスと、該レシーバ１００が制御データを通信するために使用する通信プロトコルとを指定する。指定されたネットワークアドレスに対応する外部機器との間で、前記指定され通信プロトコルに従って制御データの通信が行われる。ミキサ１００では該制御データに基づきレシーバ１００の状態を監視できる。【選択図】図１
2008047970.tif 000002
【特許請求の範囲】
【請求項１】
オーディオ信号処理に関する外部機器を通信ネットワークを介して接続するための接続手段と、
前記通信ネットワーク経由の通信を確立したい前記外部機器について該外部機器に固有のネットワークアドレスと、該外部機器との間で制御データを通信するために使用する通信プロトコルとをユーザ入力により指定する指定手段と、
前記指定されたネットワークアドレスに対応する外部機器との間で、前記指定され通信プロトコルに従って制御データの通信が行なわれるよう制御する通信制御手段と
を具備することを特徴とするミキサ。
【請求項２】
前記通信制御手段の制御に従い外部機器から受信した制御データに基づき前記外部機器の状態を表示する表示手段を更に備えることを特徴とする請求項１に記載のミキサ。
【請求項３】
通信ネットワークを介して接続したオーディオ信号処理に関する外部機器とミキサの通信設定を行う機能をコンピュータに実現させるためのプログラムであって、
前記通信ネットワーク経由の通信を確立したい前記外部機器について当該外部機器に固有のネットワークアドレスと、前記外部機器との間で制御データを通信するために使用する通信プロトコルとをユーザ入力により指定するステップと、
前記指定されたネットワークアドレスに対応する外部機器との間で、前記指定され通信プロトコルに従って制御データの通信が行なわれるよう制御するステップと
を備えることを特徴とするプログラム。
【発明の詳細な説明】
【技術分野】
【０００１】
この発明は、オーディオミキサとオーディオ信号処理に関する外部機器との間で制御データを通信するための通信制御・設定に関する。
【背景技術】
【０００２】
従来から知られるディジタルミキサには、特定の外部機器 を接続するための端子（リモート端子）が具備されたものがあった。例えば、本出願人が販売するディジタルミキサ：商品名「Ｍ７ＣＬ」は、リモート端子を介して、本出願人が販売するヘッドアンプ：商品名「ＡＤ８ＨＲ」を接続することができた。リモート端子に接続される外部機器とミキサにおいては、両機器間で制御データの通信を行うための専用の通信プロトコルが両機器の設計段階で固定的に設定されていた。従って、ユーザ（ミキサオペレータ）は、ミキサのリモート端子に前記特定の外部機器を接続するだけで、格別の通信設定操作を行うことなしに、両機器間で制御データの通信を行わせることができ、また、該リモート端子を経由してヘッドアンプ等の特定の外部機器に対する各種設定をミキサ側から行うことができた。一方で、設計段階から予め通信プロトコルが固定されるということは、リモート端子に接続できる外部機器を当該通信プロトコルに対応する特定の製品に限定することになるという制限をもたらす（下記非特許文献１を参照）。
【非特許文献１】http://www2.yamaha.co.jp/manual/pdf/pa/japan/mixers/m7cl_ja_om.pdf
【０００３】
ミキサに対するオーディオ信号の入力源の１つとしてワイヤレスマイクを利用する場合、ワイヤレスマイクからの入力を無線で受信するワイヤレスマイクレシーバとミキサとをオーディオケーブルを介して接続し、該レシーバがワイヤレスマイクから受信したオーディオ信号を、該オーディオケーブルを介してミキサに供給する。
【０００４】
ワイヤレスマイクを使用する場合は、マイクの電池切れや、通信状況の悪化など、色々な原因による不慮のトラブルに備えて、電池残量、通信周波数帯、通信状況、マイクレベルなどのワイヤレスマイクの状態を監視する必要がある。この点について、ワイヤレスマイクレシーバは、ワイヤレスマイクの状態（電池残量、通信周波数帯、通信状況、マイクレベルなど）を表す制御データを持っており、レシーバにおいてワイヤレスマイクの状態を監視することや、通信周波数帯、マイクレベル、或いは、名称設定など各種パラメータを設定することができた。
【０００５】
また、ワイヤレスマイクレシーバに対して。例えばＬＡＮケーブル等を介して、当該ワイヤレスマイクのモニタ用アプリケーションプログラムを実行するパーソナルコンピュータ（ＰＣ）を接続して、該ＰＣにワイヤレスマイクの制御データを転送することで、該ＰＣにおいてワイヤレスマイクの状態の監視や各種パラメータ設定を行うことができた。
【０００６】
前述の通り、上記非特許文献１に示すディジタルミキサにおいては、リモート端子に接続できる外部機器は専用の通信プロトコルに対応した特定の製品に限られていたので、ワイヤレスマイクレシーバをリモート端子を介して接続すること、すなわち、該レシーバとミキサとを制御データの通信可能に接続することはできなかった。従って、ディジタルミキサ側では、ワイヤレスマイクの状態の監視や、そのパラメータ設定等を行うことはできなかった。
また、例えば、コンサートホール等の音響システムにおいて、ワイヤレスマイクレシーバはワイヤレスマイクの近傍（例えば、ステージの脇等）に設置され、ミキサ設置場所とは離れているのが一般的であり、また、ワイヤレスマイクのモニタ用アプリケーションプログラムは専門性が高く、専任オペレータ以外（例えばミキサオペレータなど）には容易に操作できるものではなかった。従って、ワイヤレスマイクの状態の監視や、そのパラメータ設定等は、ミキサオペレータとは別のワイヤレスマイク専任オペレータが担当する作業であった。
【０００７】
ディジタルミキサとワイヤレスマイクレシーバ等の外部機器とが制御データの通信に使用する通信プロトコルが予め規定されていれば、ＬＡＮ等の通信ネットワークを経由して、ミキサと該レシーバ間で制御データの通信を行うことは可能となるであろう。しかし、この手法では予め規定された通信プロトコルに対応する特定の機器（特定の機種、特定の製造元の装置）にしか対応できない。また、ミキサを中心とした音響システムを構成する各種外部機器（ヘッドアンプ、ワイヤレスマイクレシーバ、パワーアンプなど）は、多くの製造元から種々製造・販売されている。従って、これら現存する多様な機種・製造元の外部機器に必要十分に対応すべく、多様な機種・製造元の外部機器で使用される多様な通信プロトコルを、該多様な機種・製造元の外部機器にそれぞれ対応付けてミキサの設計段階で予め固定的に設定することは、極めて多大な手間及びコストを要する。
【発明の開示】
【発明が解決しようとする課題】
【０００８】
この発明は上述の点に鑑みてなされたもので、ミキサとオーディオ信号処理に関する外部機器との間でＬＡＮ等の通信ネットワーク経由で制御データを通信できるようにすることを目的とする。
【課題を解決するための手段】
【０００９】
この発明に係るミキサは、オーディオ信号処理に関する外部機器を通信ネットワークを介して接続するための接続手段と、前記通信ネットワーク経由の通信を確立したい前記外部機器について該外部機器に固有のネットワークアドレスと、該外部機器との間で制御データを通信するために使用する通信プロトコルとをユーザ入力により指定する指定手段と、前記指定されたネットワークアドレスに対応する外部機器との間で、前記指定され通信プロトコルに従って制御データの通信が行なわれるよう制御する通信制御手段とを具備する。
【００１０】
また、この発明に係るミキサにおいて、前記通信制御手段の制御に従い外部機器から受信した制御データに基づき前記外部機器の状態を表示する表示手段を更に備えていてもよい。
【００１１】
また、この発明は、通信ネットワークを介して接続したオーディオ信号処理に関する外部機器とミキサの通信設定を行う機能をコンピュータに実現させるためのプログラムであって、前記通信ネットワーク経由の通信を確立したい前記外部機器について当該外部機器に固有のネットワークアドレスと、前記外部機器との間で制御データを通信するために使用する通信プロトコルとをユーザ入力により指定するステップと、前記指定されたネットワークアドレスに対応する外部機器との間で、前記指定され通信プロトコルに従って制御データの通信が行なわれるよう制御するステップとを備えるプログラムである。
【発明の効果】
【００１２】
この発明によれば、ミキサにおいて通信ネットワーク経由の通信を確立したい外部機器について当該外部機器に固有のネットワークアドレスと、前記外部機器との間で制御データを通信するために使用する通信プロトコルとを、ユーザ入力により指定することができ、前記指定されたネットワークアドレスに対応する外部機器とミキサの間で、前記指定され通信プロトコルに従って制御データの通信を行うことができる。従って、例えば、ミキサに対してＬＡＮ等の通信ネットワークを介して外部機器（例えばワイヤレスレマイクレシーバ）を接続した場合、該外部機器のネットワークアドレスと、該外部機器で使用する通信プロトコルとをユーザが指定すれば、ミキサにおいてＬＡＮ等の通信ネットワーク経由で該外部機器の制御データを受信することができるようになる。これにより、ミキサのオペレータ（ユーザ）は前記外部機器の状態の監視や、該外部機器のパラメータ設定等をミキサ側で行うことができるという優れた効果を奏する。また、ユーザによって指定された外部機器との間でのみ、該ユーザに指定された通信プロトコルに従って通信を確立することから、ミキサ設計段階では外部機器と該機器で使用する通信プロトコルとの対応付けを固定的に設定しておく必要がない。従って、少ない手間及びコストでＬＡＮ等の通信ネットワーク経由でオーディオ信号処理に関する外部機器の制御データを通信できるようになる。
【発明を実施するための最良の形態】
【００１３】
以下添付図面を参照してこの発明の一実施例について説明する。以下に述べる実施例においては、この発明に係る通信設定機能を有するディジタルミキサについて説明する。
【００１４】
図１は、この発明の一実施例に係るディジタルミキサを含むローカルエリアネットワーク（ＬＡＮ）構成の一例を示すブロック図である。図１において、ミキサ１００、複数のワイヤレスマイクレシーバ１０１及びパーソナルコンピュータ（ＰＣ）１０２の各機器は、例えばイーサーネット（登録商標）等の汎用ネットワーク規格に準拠するネットワークインターフェースを具備し、各機器毎のネットワークインターフェースに接続されたＬＡＮケーブル１０３を介してハブ１０４に接続されている。すなわち、該ハブ１０４を介して互いに通信可能に接続された各機器により当該ディジタルミキサ１００を含むＬＡＮが構成される。
【００１５】
複数のワイヤレスマイクレシーバ１０１（図１において３台）は、図示外のワイレスマイクから入力されたオーディオ信号を無線で受信する装置である。各ワイヤレスマイクレシーバ１０１は、それぞれ、異なる機種であったり、製造元が異なるものであってよく、図１においては、各機器毎に添え文字Ａ〜Ｃを付与して、個々の装置の区別を表している。各ワイヤレスマイクレシーバ１０１は、オーディオケーブル１０５を介してミキサ１００に接続されており、各ワイヤレスマイクレシーバ１０１において前記ワイヤレスマイクから受信した各オーディオ信号はそれぞれ前記オーディオケーブル１０５を介してミキサ１００に供給される。
【００１６】
ミキサ１００と複数のワイヤレスマイクレシーバ１０１の間では、ＬＡＮケーブル１０３を介して（ＬＡＮ経由で）、ワイヤレスマイクの状態を表す制御データの通信が行われる。前記制御データは、例えばワイヤレスマイクの電池残量、通信周波数帯、通信状況、ゲインレベルなどからなるデータである。なお、この実施例において、ＬＡＮ上では、データ本体と共に宛先や送信元アドレスなどを含むパケット単位でデータの通信が行われる。
【００１７】
ミキサ１００、複数のワイヤレスマイクレシーバ１０１及びパーソナルコンピュータ（ＰＣ）１０２の各機器には、ＬＡＮ上で該各機器に固有の識別番号（ＩＰアドレス）が設定され、このＩＰアドレスがＬＡＮ経由のデータ通信の宛先や送信元アドレスとなる。各機器毎のＩＰアドレスは、各機器をＬＡＮに接続した際に当該機器において自動的に設定されてもよいし、ユーザが各機器毎に手動設定できてもよい。詳しくは後述する通り、この発明よれば、ミキサ１００において、ユーザ（ミキサオペレータ）がＬＡＮ経由の通信を確立したい機器のＩＰアドレスと該機器との通信に使用する通信プロトコルとを手動で指定することで、ＬＡＮ経由でミキサ１００とレシーバ１０１の間で制御データの通信を行うことを可能とし、以って、各レシーバ１０１毎のマイクの電池残量や、通信周波数帯、通信状況、ゲインレベルなど、ワイヤレスマイクの状態を、ミキサ１００側で監視・設定できるようになる。
【００１８】
また、ＰＣ１０２は、ミキサ１００のリモート制御用ソフトウェアプログラムを実行し、該ミキサ１００をリモート制御するために使用される。すなわち、ＬＡＮを経由したＰＣ１０２とミキサ１００の間の通信プロトコルは、前記リモート制御用ソフトウェアプログラムによって予め規定されているので、従来と同様に、格別の設定操作をユーザが行うことなしに、両機器間で制御データの通信を行わせることができる。
【００１９】
図２は、ディジタルミキサ１００の電気的ハードウェア構成例を示すブロック図である。ミキサ１００は、ＣＰＵ１、フラッシュメモリ２、ＲＡＭ３、信号処理回路（ＤＳＰ）４、波形入出力インターフェース（波形Ｉ／Ｏ）５、表示器６、各種操作子７、電動フェーダ８、レコーダ９、ネットワークインターフェース（ネットワークＩ／Ｏ）１０、ＵＳＢインターフェース（ＵＳＢ・Ｉ／Ｏ）１１を含み、各装置間がバス１Ｂを介して接続される。
【００２０】
ネットワークＩ／Ｏ１０は、例えばイーサーネット（登録商標）規格のネットワークインターフェースで構成される。ミキサ１００は、ネットワークＩ／Ｏ１０に接続されたＬＡＮケーブルによりハブ１０３に接続され、該ハブ１０３を経由して、ＬＡＮ上の他の機器（図１の例ではワイレスマイクレシーバ１０１やＰＣ１０２）と通信可能に接続される。また、ＵＳＢ・Ｉ／Ｏ１１に接続されたコネクタ（ＵＳＢ端子）１２を介してＵＳＢメモリ１３を接続することができる。そして、ＤＳＰ４の設定データ等のミキサ内部データをレコーダ９に転送し、レコーダ９に転送された前記内部データをＵＳＢメモリ１３にセーブ・ロードすることができてよい。
【００２１】
ＣＰＵ１、フラッシュメモリ２及びＲＡＭ３を含むマイクロコンピュータは、フラッシュメモリ２又はＲＡＭ３に記憶された制御プログラムを実行し、当該ミキサ１００の全体的な動作制御を行う。ＤＳＰ４は、オーディオ信号に対するディジタル信号処理を担う。波形Ｉ／Ｏ５は、アナログ入力ポート、アナログ出力ポート及びディジタル入出力ポートによって構成され、波形Ｉ／Ｏ５に対してオーディオケーブル１０５が接続される。波形Ｉ／Ｏ５を介して入力されたアナログオーディオ信号はディジタル変換された後にＤＳＰ４に供給され、ＤＳＰ４は該供給されたディジタルオーディオ信号に対してＣＰＵ１から与えられる指示に基づく信号処理を施す。また、ＤＳＰ４における信号処理の結果として生成されたディジタルオーディオ信号は波形Ｉ／Ｏ５を介してアナログ変換されて外部に出力される。また、波形Ｉ／Ｏ５を介して接続されたディジタル音響機器との間でディジタルオーディオ信号の送受信を行うこともできる。
【００２２】
表示器６、各種操作子７、電動フェーダ８は、後述の図４に示す操作パネル上に配設されるユーザインターフェースである。ユーザは、各種操作子７や電動フェーダ８を使用して、例えば各種パラメータの設定や各種機能の起動指示等、ミキシング処理に関する各種操作を行うことができる。また、電動フェーダ８には、フェーダつまみの操作位置を自動制御するためのモータが内蔵されており、ＣＰＵ１から与えられる駆動信号に基づき、つまみ位置が自動的に制御される。表示器６は、当該ミキサが有する各種機能に応じた表示画面を表示し、該表示画面上のＧＵＩを使用してシステム全体に関わる設定や各種機能毎のパラメータの設定等を行うために使用できる。一例として、タッチパネル式の液晶ディスプレイで構成し、画面接触による操作入力が行えるようにしてよい。
【００２３】
図３は、ＤＳＰ４が実行するオーディオ信号に対する信号処理の構成の概要を説明するためのブロック図である。ミキサ１００には、アナログオーディオ信号を入力するための複数のアナログ入力ポート（Ａ入力）２０及び複数のディジタルオーディオ信号を入力するための複数のディジタル入力ポート（Ｄ入力）２１が具わる。前記図１に示したワイヤレスマイクレシーバ１０１からのオーディオ信号を伝送するオーディオケーブル１０５はＡ入力２０のいずれかに接続されることになる。
【００２４】
入力パッチ２２は、各入力ポート（Ａ入力２０乃至Ｄ入力２１）を複数の入力チャンネル２３のいずれかに選択的に接続することで、１つの入力チャンネル２３に対して１つの入力ポート（Ａ入力２０乃至Ｄ入力２１）からの入力信号を割り当てている。また、入力パッチ２２における各入力チャンネル２３と入力ポートの接続を示すデータは「パッチデータ」としてフラッシュメモリ２或いはＲＡＭ３等適宜のメモリに保管される。なお、この明細書において、入力ポートと入力系チャンネルを対応付けて接続すること、或いは、出力ポートと出力系チャンネルを対応付けて接続することを「パッチ」という。
【００２５】
複数の入力チャンネル２３（図の例では「１ｃｈ」〜「３２ｃｈ」の３２本）は、それぞれ、入力ポートから割り当てられたディジタルオーディオ信号に対するリミッタ、コンプレッサ、イコライザ、フェーダ、パンなどのパラメータ設定部、各バスへの出力をオンオフする出力先選択部、各バスへの出力レベルを調整するセンドレベル調整部等を具備しており、各入力チャンネル２３毎に入力されたオーディオ信号の特性やレベルの調整を行う。各入力チャンネル２３の信号出力側は、所定の複数（図の例では「ｍｉｘ１」〜「ｍｉｘ１６」の１６本）のミキシングバス２４の各々に接続されており、ユーザは各入力チャンネル２３の出力信号を所望のミキシングバス２４に送出することができる。ミキシングバス２４では、複数の入力チャンネル２３から入力する信号を各入力チャンネル２３毎の信号出力レベルに応じたミキシング比で混合（ミキシング）する。
【００２６】
前記複数のミキシングバス２４の各々に対応する複数のミックスチャンネル２５（図の例では「１ｃｈ」〜「１６ｃｈ」までの１６本）は、それぞれ、キシングバス２４から送出されたディジタルオーディオ信号に対するリミッタ、コンプレッサ、イコライザ、フェーダ等のパラメータ設定部を備えており、各ミックスチャンネル２５毎に供給されたオーディオ信号の特性やレベルを調整する。出力パッチ２６は、各ミキシングチャンネル２５を所定のアナログ出力ポート（Ａ出力）２７又は複数のディジタル出力ポート（Ｄ出力）２８に選択的に接続することで、１つの出力ポート（Ａ出力２７又はＤ出力２８）に対して１つのミキシングチャンネル２５の出力信号を割り当てる。かくして、Ａ出力２７又はＤ出力２８からは、ユーザ所望のミキシング処理が施されたオーディオ信号が出力される。
【００２７】
図４は、ディジタルオーディオミキサ１００の操作パネルの要部を抽出して示す概略外観図である。図４において、操作パネル上には表示器６や多数の操作子類（図２に示す操作子７や電動フェーダ８に相当する）が配備されている。符号３０は、複数のチャンネルストリップを備えたチャンネルストリップセクションである。ミキサのオペレータ（ユーザ）は、ナビゲーションセクション３１に含まれる操作子を用いて、チャンネルストリップセクション３０のチャンネルストリップ群に任意の種類のチャンネル（入力チャンネルやミキシングチャンネルなど）のグループを割り当てることで、該チャンネルストリップに備わる操作子を用いて、当該チャンネルストリップに割り当てたチャンネルの主要なパラメータを操作することができる。また、ユーザはチャンネルストリップセクション３０に割り当てられたチャンネルのうちの任意の１つのチャンネルを選択し、該選択した任意の１つのチャンネルを構成する主要なパラメータをセレクテッドチャンネルセクション３２に展開することができ、セレクテッドチャンネルセクション３２に備わる複数の操作子を用いて前記パラメータの設定を行うことができる。
【００２８】
表示器６に表示される各種設定用の画面には、例えば、ＩＰアドレスと通信プロトコルの設定画面（後述の図７参照）や、入力パッチ乃至出力パッチの設定画面、チャンネルストリップセクション３０に現在割り当てられているチャンネル群の主要なパラメータを制御するためのコントローラ画面や、セレクテッドチャンネルセクション３２に展開されたチャンネルについて詳細なパラメータ設定を行う画面等がある。
【００２９】
図５は、前記コントローラ画面の表示例を示している。ユーザがナビゲーションセクション３１を用いてチャンネルストリップセクション３０に割り当てる入力チャンネルのグループを選択すると、表示器６には該選択されたチャンネルグループに対応するコントローラ画面６０が表示される。コントローラ画面６０には、チャンネルストリップセクション３０を構成する複数の物理的チャンネルストリップの各々に対応して、複数(図においては８個）のチャンネルストリップ画像６１が表示される。なお、コントローラ画面６０において、各チャンネルストリップ画像６１の表示位置は、各々が対応付けられた物理的チャンネルストリップの操作パネル上の配置位置に対応づけらている（図４参照）。
【００３０】
コントローラ画面６０上の各チャンネルストリップ画像６１には、割り当てられた入力チャンネルのチャンネル番号（図の例では「ＣＨ１」〜「ＣＨ８」）と入力源の種類を表示するチャンネル番号／入力源種類表示領域６２、当該入力チャンネルの入力源の状態を表示する入力源状態表示領域６３、ミックスバスへのセンドレベルを調整するノブ操作子画像表示領域６４等が設けられている。なお、図５においては図示及び説明の便宜上、チャンネル番号「ＣＨ１」及び「ＣＨ８」の各チャンネルストリップ画像６１についてのみ符号を付与し、他を省略した。また、「ＣＨ１」及び「ＣＨ８」の各チャンネルストリップ画像６１について、入力源状態表示領域６３を点線で囲い、これを明示した。また、各チャンネルストリップ画像６１には、図に例示した要素の他にも、当該チャンネルの主要なパラメータ（イコライザ、音量レベルなど）を表す表示領域等が設けられてよい。
【００３１】
チャンネル番号／入力源種類表示領域６２において、入力源の種類の表示は、当該入力源の楽器乃至演奏パート名（例えばマイク（ＭＩＣ）、ギター（Ｇｕｉｔａｒ）など）の文字列を表示してもよいし、或いは、該入力源の楽器乃至演奏パートを絵柄化したアイコンを表示するようにしてもよい。図５の例では、チャンネル番号「ＣＨ１」〜「ＣＨ４」が入力源としてワイヤレスマイクレシーバ１０１からの入力が割り当てられたチャンネルであり、また、チャンネル番号「ＣＨ５」〜「ＣＨ８」が、入力源としてその他の通常の外部機器（ワイヤレスレシーバ以外の外部機器で例えば有線マイク等）からの入力が割り当てられたチャンネルである。
【００３２】
通常の外部機器（ＨＡ）からの入力が割り当てられたチャンネル「ＣＨ５」〜「ＣＨ８」では、入力源状態表示領域６３には、ＨＡゲイン調整ノブ６５、ＨＡに供給されるファンタム電源のオンオフスイッチ６６、割り当てられたＨＡの正相・逆相の切り替えスイッチ６７の各画像が表示される。これに対して、ワイヤレスマイクレシーバ１０１からの入力が割り当てられた「ＣＨ１」〜「ＣＨ４」の各チャンネルストリップ画像６１の入力源状態表示領域６３には、詳しくは後述する通り、通常の外部機器からの入力が割り当てられているチャンネルにおける、ＨＡゲイン調整ノブ６５、ファンタム電源オンオフスイッチ６６、及び、正相・逆相切り替えスイッチ６７の各画像に替えて、ＬＡＮ経由でワイヤレスマイクレシーバ１０１から受信した制御データに基づき、ワイヤレスマイク用の表示がなされる。すなわち、マイクの通信周波数帯（図では「通信Ｆ」と記す）６８、マイク音量レベル６９、電池残量７０等のマイクの状態が表示される。図５に示すとおり、ワイヤレスマイク用の表示（「ＣＨ１」〜「ＣＨ４」）と、通常の入力の表示（「ＣＨ５」〜「ＣＨ８」）とで、表示デザインが統一されているので、見た目の美観及び操作性を損なうことがなく、且つ、ミキサのオペレータにとってワイヤレスマイクの制御データの監視・設定が行いやすいという点で優れている。
なお、ユーザは、コントロール画面上の各操作子画像又は表示欄毎に設定画面を別途立ち上げることで、該設定画面から詳細な設定・操作が行えてよい。
【００３３】
次に、ミキサ１００とワイヤレスマイクレシーバ１０１をＬＡＮ経由で接続・制御するためにミキサにおいて実行する各種処理の手順の一例についてフローチャートを参照して説明する。図６は、ミキサ１００にワイヤレスマイクレシーバ１０１を接続する際の接続処理手順の一例を示すフローチャートである。なお、ここで接続処理は、ＬＡＮケーブル１０３を介して物理的に接続された機器同士を論理接続する処理を指す。すなわち、ミキサ１００とワイヤレスマイクレシーバ１０１との論理接続を設定するための接続設定画面をミキサ１００の表示器６に表示させる指示をユーザが行ったときに、図６の接続処理は起動する。
【００３４】
ステップＳ１において、表示器６に接続設定画面を表示して、オペレータに論理接続を設定したい機器（ワイヤレスマイクレシーバ１０１）のＩＰアドレスと通信プロトコルの入力を促す。接続設定画面の一例を図７に示す。接続設定画面には、ＩＰアドレスを入力するＩＰアドレス入力欄７１と、通信プロトコルの選択を行う通信プロトコル選択欄７２とが備わる。ユーザは、ＩＰアドレス入力欄７１に、通信を確立(論理接続）したい機器（前記図１の構成例ではワイヤレスレシーバＡ〜Ｃの何れか）に設定されているＩＰアドレスを入力することで、通信対象機器のＩＰアドレスを指定する。ＩＰアドレスは、前述の通り、各機器をＬＡＮに接続した際に自動で又はオペレータによる手動入力で各機器毎に設定された識別番号であり、例えば、８ビットずつ４つに区切られた３２ビットの数値により構成される。
【００３５】
図７に示す接続設定画面の通信プロトコル選択欄７２においては、複数種類の通信プロトコル（図７において「ＡＡＡＡ」、「ＢＢＢＢ」等の文字列により複数種類の通信プロトコを表す）がリストアップされており、各通信プロトコルに対応してラジオボタン７３が設けられている。ユーザは、前記ＩＰアドレス入力欄７１に入力したＩＰアドレスに対応する機器との間で制御データを通信するために使用する通信プロトコルのラジオボタン７３にチェックを入れることで、通信プロトコル選択欄７２から任意の１つの通信プロトコルを指定することができる。また、図７において、「ＯＫ」ボタン７４を用いて接続設定画面の設定内容を確定すことができ、「キャンセル」ボタン７５を用いて接続設定画面の設定内容を取り消すことができる。すなわち、ＩＰアドレスと通信プロトコルの対応付けはユーザの判断に任せればよく、ＩＰアドレス先の機器がどの通信プロトコルを使用するのかをミキサ１００で予め認識している必要はない。このため、ミキサ１００では複数種類の通信プロトコルの情報を保持するだけでよく、ミキサ１００の設計段階では外部機器と通信プロトコルとを対応付けを固定的に設定しておく必要がない。従って、少ない手間及びコストでＬＡＮ経由で制御データを通信できるようになる。また、ＩＰアドレス先の機器がどの通信プロトコルを使用しているのかを問い合わせる通信等、ミキサ１００とレシーバ１０１の間における通信制御・設定のための事前通信は不要であるため、基本的には音響信号処理に特化された装置であるべきミキサ１００及び通信相手の機器（レシーバ１０１）に複雑な通信機能を要求しないという利点がある。
なお、少なくとも各機器にて使用すべき通信プロトコルがユーザ（ミキサオペレータ）に通知されていなければならない。ユーザは各機器にて使用すべき通信プロトコルの情報を例えば当該機器の取り扱い説明書の記載、或いは当該機器の製造元への問い合わせ等により得ることができる。
【００３６】
ところで、周知の通り、ネットワークプロトコルとして標準的に使用されている「ＴＣＰ／ＩＰプロトコル」は、役割に応じた複数の階層に分けて構築されている。その下位層のプロトコルは、ネットワークにアクセスしたり、データパケットを相手まで届けるための機能等、通信制御における直接的なインターフェース機能を規定するものであり、これに対して、最上位層のアプリケーション層のプロトコルは、実際にアプリケーションが用いる各種サービスのメッセージのやり取り、メッセージの解釈の仕方等について規定するものである。図７に示す接続設定画面においてユーザが設定する「通信プロトコル」は、前記アプリケーション層のプロトコルに相当するものであり、主には通信相手の持つ制御データの解釈の仕方を規定する。
【００３７】
ユーザによりＩＰアドレスと通信プロトコルとが指定されたら（ステップＳ２のＹＥＳ）、ステップＳ３において、前記指定されたＩＰアドレス先のワイヤレスマイクレシーバ１０１（当該ＩＰアドレスが設定されている機器）をＬＡＮ上から検出して、該検出したレシーバ１０１とミキサ１００との間の論理接続を設定する。すなわち、検出したワイヤレスマイクレシーバ１０１とミキサ１００の間で通信経路を確立し、該論理接続したレシーバ１０１から受信するデータを、前記接続設定画面において指定された通信プロトコルを用いて解釈するように設定する。これにより、ミキサ１００は、ユーザにより指定されたＩＰアドレスを持つ通信対象機器との間で、ユーザにより指定された通信プロトコルを用いて通信できる状態になる。
【００３８】
ステップＳ４において、前記ユーザにより指定されたＩＰアドレスと当該ＩＰアドレスを持つ通信対象レシーバ１０１から入力されるオーディオ信号との対応付けをミキサ１００側で認識させる。すなわち、通信対象レシーバ１０１からのオーディオ信号がどの入力ポート（図２の波形Ｉ／Ｏ５、図３のＡ入力２０に相当）に入力されているかをユーザに設定させて、入力ポートと通信対象レシーバ１０１のＩＰアドレスとを対応付ける。ここで設定したレシーバ１０１（のＩＰアドレス）と入力ポートの対応付けを表すデータは、フラッシュメモリ２或いはＲＡＭ３等適宜のメモリに記録する。これにより、当該入力ポート（波形Ｉ／Ｏ５）から或る入力チャンネルに入力されるオーディオ信号と、入力されたＩＰアドレスを持つ通信対象機器からＬＡＮ経由で受信する制御データとが、同じ機器（同じ入力チャンネル）に関するデータであるということを、ミキサ１００側で認識できる。さらに、ステップＳ５においては、前記入力されたＩＰアドレスを持つ通信対象レシーバ１０１が、後述するパッチ画面におけるパッチ元（入力源）の選択肢の一つして表示されるよう設定する。
【００３９】
図８はパッチ設定処理の動作手順の一例を示すフローチャートである。表示器６にパッチ設定画面を表示させる指示をユーザが行ったときに、このパッチ設定処理は起動する。パッチ設定画面は、入力パッチ２２乃至出力パッチ２６（図３参照）の設定をユーザに行わせる画面であって、ユーザは、例えば前記図７に示すコントローラ画面６０において、或るチャンネルに関するチャンネル番号／入力源種類表示領域６２を選択することで、パッチ設定画面を立ち上げることができる。
【００４０】
ステップＳ６において、ユーザからの指示に応じて「パッチ設定画面」を表示器６に表示して、ユーザに対してパッチ設定の入力を促す。ユーザは、パッチ設定画面において任意の入力ポート（Ａ入力２０乃至Ｄ入力２１）を入力チャンネル２３にパッチする、または、任意の出力ポート（Ａ出力２７又はＤ出力２８）に１つのミキシングチャンネル２５の出力信号をパッチする設定を行う。このパッチ設定画面において、ユーザは、チャンネルに割り当てられた入力源（パッチ元）の名前乃至該入力源を絵柄化したアイコンを選択することができ、その選択肢の一つして、前記図６のステップＳ５において選択肢に設定された通信対象レシーバ１０１が含まれる。従って、パッチ設定の選択肢として、ＬＡＮ経由で接続された外部機器（ワイヤレスマイクレシーバ１０１）を選ぶことができる。
【００４１】
パッチ設定画面におけるパッチ設定が完了したら（ステップＳ７のＹＥＳ）、ステップＳ８において、設定されたパッチの内容を示す「パッチデータ」を、フラッシュメモリ２或いはＲＡＭ３等適宜のメモリに記録すると共に、該パッチの内容に従ってＤＳＰ４におけるオーディオ信号の信号経路（信号処理内容）を設定することで、該パッチの内容を信号処理に反映させる。
【００４２】
前記図５に示すコントローラ画面６０において、ＬＡＮ経由で接続された外部機器（ワイヤレスマイクレシーバ１０１）からのオーディオ信号が割り当てられた入力チャンネル２３（例えば、図７では「ＣＨ１」〜「ＣＨ４」）が含まれている場合、図５のコントローラ画面６０に示す通り、ワイヤレスマイクレシーバ１０１からの入力が割り当てられた「ＣＨ１」〜「ＣＨ４」の各チャンネルストリップ画像６１の入力源状態表示領域６３には、通常の表示（「ＣＨ５」〜「ＣＨ８」に示すＨＡの状態表示）とは異なり、ワイヤレスマイクレシーバの状態が表示されることになる。
図９は、コントローラ画面６０の表示を通常の表示（ＨＡの状態表示）とワイヤレスマイクレシーバの状態表示とのいずれかに切り替えるための表示切り替え処理の手順の一例を示すフローチャートである。この処理は、表示器６に表示するコントローラ画面の表示切り替え指示、すなわち、コントローラ画面に呼び出すチャンネルグループの切り替えがあったときに起動する。
【００４３】
ステップＳ９において、コントローラ画面６０に新規に呼び出すチャンネルグループの中に、ＬＡＮ経由で接続されたワイヤレスマイクレシーバ１０１からのオーディオ信号が割り当てられた入力チャンネルが含まれているかどうか調べる。ここでは、前記チャンネルグループの各入力チャンネル毎のパッチ設定データに基づき、当該チャンネルに対してどの入力ポートからのオーディオ信号が割り当てあられているかを判断する。チャンネルと入力ポートとの対応付けが判別できれば、前記図６に示す接続処理のステップＳ４において記録されたレシーバ１０１と入力ポートの対応付けのデータに基づき、どの入力チャンネルに対してワイヤレスマイクレシーバ１０１からのオーディオ信号が割り当てられているかを認識することができる。
【００４４】
コントローラ画面６０に新規に呼び出すチャンネルグループの中に、ワイヤレスマイクレシーバ１０１からのオーディオ信号が割り当てられている入力チャンネルがあった場合（ステップＳ１０のＹＥＳ）、ステップＳ１１において、当該ワイヤレスマイクレシーバ１０１のＩＰアドレスに対応して指定された通信プロトコルに基づき、当該入力チャンネルについて入力源状態表示領域６３の表示画像を決定し、決定した表示画像で当該入力チャンネルの入力源状態表示領域６３の表示を行う。すなわち、図６の接続処理おいて指定された通信プロトコルに応じて表示すべき入力源状態表示領域６３の画像を予め規定しておくものとする。ワイヤレスマイクレシーバ１０１に使用される通信プロトコルであれば、図５のチャンネル「ＣＨ１」〜「ＣＨ４」に例示した通り、通信周波数帯６８、マイク音量レベル６９、電池残量７０をからなるワイヤレスマイクレシーバの状態を表示するよう入力源状態表示領域６３の画像を規定しておく。これにより、ワイヤレスマイクレシーバ１０１からのオーディオ信号が割り当てられている入力チャンネルの入力源状態表示領域６３には、通信周波数帯６８、マイク音量レベル６９、電池残量７０からなるワイヤレスマイクレシーバの状態の画像が表示される（図５参照）。
【００４５】
ステップＳ１２では、コントローラ画面６０に新規に呼び出すチャンネルグループのうち、上記ＬＡＮ経由で接続されたワイヤレスマイクレシーバ１０１以外の機器（ＨＡ）が割り当てられた入力チャンネル２３（例えば、図５では「ＣＨ５」〜「ＣＨ８」）について、通常の表示（ＨＡに対応する表示）を行う。すなわち、入力源状態表示領域６３において、ＨＡゲイン調整ノブ６５、ＨＡに供給されるファンタム電源のオンオフスイッチ６６、割り当てられたＨＡの正相・逆相の切り替えスイッチ６７の各画像が表示される。
一方、コントローラ画面６０に新規に呼び出すチャンネルグループの中に、ワイヤレスマイクレシーバ１０１からのオーディオ信号が割り当てられている入力チャンネルがなければ（ステップＳ１０のＮＯ）、ステップＳ１３において、当該コントローラ画面６０に呼び出す全ての入力チャンネル２３について通常の表示（ＨＡに対応する表示）を行う。
【００４６】
上記の処理により、ＬＡＮ経由でミキサ１００とワイヤレスマイクレシーバ１０１との間で制御データ（マイクの電池残量、通信周波数帯、通信状況、ゲインレベルなどのデータ）を通信できる状態にミキサ１００が設定されるので、ユーザはミキサ１００側でワイヤレスマイクの状態を監視・設定できるようになる。図１０は、ミキサ１００においてワイヤレスマイクレシーバ１０１からの制御データを受信した際の動作手順の一例を示すフローチャートである。図１０に示す処理は、ミキサ１００においてＬＡＮ経由でワイヤレスマイクレシーバ１０１の制御データのパケットを受信したときに起動する処理である。ワイヤレスマイクレシーバ１０１から制御データのパケットを発信する動作は、所定の周期毎に定期的に行われても良いし、非定期的（例えば制御データの内容が変わったときなど）に行われてもよいし、或いは、ミキサ１００からレシーバ１０１に制御データのパケットの発信を要求する構成であってもよい。また、レシーバ１０１の制御データのパケットの送信方法としては、ＬＡＮ上にブロードキャストする方法であってもよいし、ミキサ１００のＩＰアドレスに宛てて（つまり特定の通信相手に宛てて）パケットを送信する方法であってもよい。後者を適用する場合は、前記図６の接続処理において、ミキサ１００と接続したレシーバ１０１に対して、ミキサ１００のＩＰアドレスを通知しておくものとする。
【００４７】
ミキサ１００はＬＡＮ上から受信したパケットの送信元ＩＰアドレスを読み出し（ステップＳ１４）、該読み出したＩＰアドレスが通信対象に指定（論理接続）されているレシーバ１０１のＩＰアドレスであれば（ステップＳ１５のＹＥＳ）、該受信したパケット内の制御データを、前記読み出したＩＰアドレスに対応して指定されている通信プロトコルに従って解釈し、該解釈した制御データに基づく処理を行う（ステップＳ１６）。すなわち、該受信したパケット内の制御データに基づきコントローラ画面６０の、受信したパケットのＩＰアドレスに対応づけられている入力チャンネルの入力源状態表示領域６３の表示を更新する処理等を行う。これにより、ユーザは、ミキサ１００において、各レシーバ１０１毎のマイクの電池残量、通信周波数帯、通信状況、ゲインレベルなど、ワイヤレスマイクの状態を監視することができる。一方、前記受信したパケットの送信元ＩＰアドレスがミキサ１００の通信対象に設定（論理接続）されていなければ（ステップＳ１５のＮＯ）、前記受信したパケットは破棄される（ステップＳ１７）。
【００４８】
また、ユーザは、ミキサ１００のコントローラ画面６０の入力源状態表示領域６３から、当該ミキサ１００に接続されたワイヤレスマイクレシーバ１０１について通信周波数帯やレベル、名称設定など各種パラメータ設定を行うことができる。ミキサ１００にてワイヤレスマイクの状態を変更した場合は、ミキサ１００から前記変更内容に応じた制御データのパケットを対応するレシーバ１０１の通信プロトコルに従って該レシーバ１０１のＩＰアドレス宛てに送信する。レシーバ１０１側では、受け取った制御データのパケットを自機の通信プロトコルに従い解釈することができる。従って、ユーザは、ミキサ１００において、各レシーバ１０１毎のワイヤレスマイクの状態を編集することができる。
【００４９】
以上説明した通り、この実施例によれば、ユーザ（ミキサ１００のオペレータ）が、図７に示した接続設定画面において通信対象機器のＩＰアドレスと、通信プロトコルとを指定したときに、ミキサ１００と該指定されたＩＰアドレスに対応するワイヤレスマイクレシーバ１０１との間では該指定され通信プロトコルに従って制御データの通信を行える状態になる（論理接続が確立される）。これにより、ユーザは、ミキサ１００側でワイヤレスマイクの状態の監視や、該ワイヤレスマイクレシーバ１０１の各種パラメータ設定等を行うことができるようになるという優れた効果を奏する。また、ユーザによって指定されたレシーバ１０１との間でのみ、該ユーザに指定された通信プロトコルに従って通信を確立することから、ミキサ設計段階で外部機器と該機器で使用する通信プロトコルとの対応付けを固定的に設定しておく必要がない。従って、少ない手間・コストでＬＡＮ経由で制御データの通信が行えるようになる。
【００５０】
なお、上記実施例において、ミキサ１００においてユーザが行った各種操作は、当該ミキサ１００のリモート制御プログラムを実行するＰＣ１０２から行うこともできる。すなわち、ミキサ１００のリモート制御用ＰＣ１０２のディスプレイにおいても、図５に示すようにコントローラ画面６０の入力源状態表示領域６３に、ワイヤレスマイクレシーバ用の表示を行って、ワイヤレスマイクの状態の監視や各種パラメータの設定を行うことができる。この場合、ＰＣ１０２上のミキサ用リモート制御プログラムとＬＡＮ上の各レシーバ１０１の間で通信が行われてもよいし、ＰＣ１０２上のミキサ用リモート制御プログラムと、前記レシーバ１０１のモニタリング用のアプリケーションプログラムとの間で通信が行われてもよい。
【００５１】
なお、上記実施例においては、図１のシステム構成例において、ミキサ１００と各レシーバ１０１をオーディオケーブル１０５を介して接続し、該オーディオケーブル１０５を介して各レシーバ１０１からミキサ１００にオーディオ信号を送信するシステム構成を示したが、これに限らず、レシーバ１０１からミキサ１００に送信されるオーディオ信号をＬＡＮ経由で（ＬＡＮケーブル１０４を介して）送信してもよい。この場合は、ミキサ１００と各レシーバ１０１間を接続するオーディオケーブル１０５は不要である。
【００５２】
なお、上記実施例においては、ミキサ１００にＬＡＮ経由で接続される外部機器の一例としてワイヤレスマイクレシーバ１０１を例示したが、ミキサ１００にＬＡＮ経由で接続される外部機器は、ワイヤレスマイクレシーバ１０１に限らず、ヘッドアンプ、パワーアンプ等、その他の音響信号処理に関する機器であってもこの発明を適用できる。
【００５３】
なお、上記実施例においては、この発明を装置の発明として構成及び実施する例について説明したが、これに限らず、コンピュータをこの発明に係る通信設定装置として動作させるために実行されるソフトウェアプログラムの形態で構成及び実施されてもよい。
【図面の簡単な説明】
【００５４】
【図１】この発明の一実施例に係るディジタルミキサを含むネットワーク構成例を示すブロック図。
【図２】同実施例に係るミキサの電気的ハードウェア構成例を示すブロック図。
【図３】同実施例に係るミキサにおける信号処理構成の概要を示す機能ブロック図。
【図４】同実施例にかかるミキサの操作パネルの一部を抽出して示す外観概略図
【図５】同実施例に係るミキサの表示器に表示されるコントローラ画面の一例を示す図。
【図６】同実施例に係るミキサと外部機器をＬＡＮ経由で接続するための接続設定処理の手順の一例を示すフローチャート。
【図７】前記接続設定処理において、ミキサの表示器に表示される接続設定画面の構成例を示す図。
【図８】同実施例に係るミキサにおけるパッチ設定処理の一例を示すフローチャート。
【図９】同実施例に係るミキサにおける前記コントローラ画面の表示切り替え処理の手順の一例を示すフローチャート。
【図１０】同実施例に係るミキサにおけるＬＡＮ経由の制御データパケット受信処理の手順の一例を示すフローチャート。
【符号の説明】
【００５５】
１００  ミキサ、１０１  ワイヤレスマイクレシーバ、１０２  パーソナルコンピュータ、１０３  ＬＡＮケーブル、１０４  ハブ、１０５  オーディオケーブル、１  ＣＰＵ、２  フラッシュメモリ、３  ＲＡＭ、４  ＤＳＰ、５  波形Ｉ／Ｏ、６  表示器、７  各種操作子、８  電動フェーダ、９  レコーダ、１０  ネットワークＩ／Ｏ、１１  ＵＳＢ・Ｉ／Ｏ、６０  コントローラ画面、６３  入力源状態表示領域、７１  ＩＰアドレス入力欄、７２  通信プロトコル選択欄
【図１】
2008047970.tif 000003
【図２】
2008047970.tif 000004
【図３】
2008047970.tif 000005
【図４】
2008047970.tif 000006
【図５】
2008047970.tif 000007
【図６】
2008047970.tif 000008
【図７】
2008047970.tif 000009
【図８】
2008047970.tif 000010
【図９】
2008047970.tif 000011
【図１０】
2008047970.tif 000012
【手続補正書】
【提出日】平成19年10月31日(2007.10.31)
【手続補正１】
【補正対象書類名】明細書
【補正対象項目名】００３５
【補正方法】変更
【補正の内容】
【００３５】
図７に示す接続設定画面の通信プロトコル選択欄７２においては、複数種類の通信プロトコル（図７において「ＡＡＡＡ」、「ＢＢＢＢ」等の文字列により複数種類の通信プロトコルを表す）がリストアップされており、各通信プロトコルに対応してラジオボタン７３が設けられている。ユーザは、前記ＩＰアドレス入力欄７１に入力したＩＰアドレスに対応する機器との間で制御データを通信するために使用する通信プロトコルのラジオボタン７３にチェックを入れることで、通信プロトコル選択欄７２から任意の１つの通信プロトコルを指定することができる。また、図７において、「ＯＫ」ボタン７４を用いて接続設定画面の設定内容を確定することができ、「キャンセル」ボタン７５を用いて接続設定画面の設定内容を取り消すことができる。すなわち、ＩＰアドレスと通信プロトコルの対応付けはユーザの判断に任せればよく、ＩＰアドレス先の機器がどの通信プロトコルを使用するのかをミキサ１００で予め認識している必要はない。このため、ミキサ１００では複数種類の通信プロトコルの情報を保持するだけでよく、ミキサ１００の設計段階では外部機器と通信プロトコルとを対応付けを固定的に設定して おく必要がない。従って、少ない手間及びコストでＬＡＮ経由で制御データを通信できるようになる。また、ＩＰアドレス先の機器がどの通信プロトコルを使用 しているのかを問い合わせる通信等、ミキサ１００とレシーバ１０１の間における通信制御・設定のための事前通信は不要であるため、基本的には音響信号処理 に特化された装置であるべきミキサ１００及び通信相手の機器（レシーバ１０１）に複雑な通信機能を要求しないという利点がある。
なお、少なくとも各機器にて使用すべき通信プロトコルがユーザ（ミキサオペレータ）に通知されていなければならない。ユーザは各機器にて使用すべき通信プロトコルの情報を例えば当該機器の取り扱い説明書の記載、或いは当該機器の製造元への問い合わせ等により得ることができる。
【手続補正２】
【補正対象書類名】明細書
【補正対象項目名】００４３
【補正方法】変更
【補正の内容】
【００４３】
ステップＳ９において、コントローラ画面６０に新規に呼び出すチャンネルグループの中に、ＬＡＮ経由で接続されたワイヤレスマイクレシーバ１０１からのオーディオ信号が割り当てられた入力チャンネルが含まれているかどうか調べる。ここでは、前記チャンネルグループの各入力チャンネル毎のパッチ設定データに基づき、当該チャンネルに対してどの入力ポートからのオーディオ信号が割り当てられているかを判断する。チャンネルと入力ポートとの対応付けが判別できれば、前記図６に示す接続処理のステップＳ４において記録されたレシーバ１０１と入力ポートの対応付けのデータに基づき、どの入力チャンネルに対してワ イヤレスマイクレシーバ１０１からのオーディオ信号が割り当てられているかを認識することができる。
【手続補正３】
【補正対象書類名】明細書
【補正対象項目名】００４４
【補正方法】変更
【補正の内容】
【００４４】
コントローラ画面６０に新規に呼び出すチャンネルグループの中に、ワイヤレスマイクレシーバ１０１からのオーディオ信号が割り当てられている入力チャンネルがあった場合（ステップＳ１０のＹＥＳ）、ステップＳ１１において、当該ワイヤレスマイクレシーバ１０１のＩＰアドレスに対応して指定された通信プロトコルに基づき、当該入力チャンネルについて入力源状態表示領域６３の表示画像を決定し、決定した表示画像で当該入力チャンネルの入力源状態表示領域６３ の表示を行う。すなわち、図６の接続処理において指定された通信プロトコルに応じて表示すべき入力源状態表示領域６３の画像を予め規定しておくものとする。ワイヤレスマイクレシーバ１０１に使用される通信プロトコルであれば、図５のチャンネル「ＣＨ１」〜「ＣＨ４」に例示した通り、通信周波数帯６８、マイク 音量レベル６９、電池残量７０をからなるワイヤレスマイクレシーバの状態を表示するよう入力源状態表示領域６３の画像を規定しておく。これにより、ワイヤレスマイクレシーバ１０１からのオーディオ信号が割り当てられている入力チャンネルの入力源状態表示領域６３には、通信周波数帯６８、マイク音量レベル６９、電池残量７０からなるワイヤレスマイクレシーバの状態の画像が表示される（図５参照）。
【手続補正４】
【補正対象書類名】図面
【補正対象項目名】図３
【補正方法】変更
【補正の内容】
【図３】
2008047970.tif 000013
【手続補正５】
【補正対象書類名】図面
【補正対象項目名】図５
【補正方法】変更
【補正の内容】
【図５】
2008047970.tif 000014